(57)【特許請求の範囲】
【請求項１】
符号化データをインターリーブし、一連のインターリーブされたビットを出力するように構成されたインターリーバであって、前記インターリーバが、１つまたは複数の空間ストリームに対応する１つまたは複数のストリームインターリーバを備え、前記１つまたは複数のストリームインターリーバが、
ブロックサイズ２４と、
インターリーバ深度８と、
３ないし５および７ないし９のいずれかのベースサブキャリアローテションと、ここで、サブキャリア回転は、前記ベースサブキャリアローテションおよびインターリーブされたローテーションインデックスの関数である、
最高４つの空間ストリームに対応するインターリーブされたローテーションインデックス０、２、１、３と、
に基づいてインターリーブを実行するように構成された、インターリーバと、
前記１つまたは複数の空間ストリーム中に含まれる前記インターリーブされたビットを送信するように構成された送信モジュールと
を備えるワイヤレス通信装置。
【請求項２】
前記１つまたは複数の空間ストリームを送信するように構成された１つまたは複数のアンテナをさらに備える、請求項１に記載のワイヤレス通信装置。
【請求項３】
前記インターリーバが、前記符号化データを前記１つまたは複数のストリームインターリーバの各々にパースするように構成されたストリームパーサを備える、請求項１に記載のワイヤレス通信装置。
【請求項４】
前記送信モジュールが、１ＭＨｚ多入力多出力直交周波数分割多重（ＭＩＭＯ−ＯＦＤＭ）送信を使用して送信するように構成された、請求項１に記載のワイヤレス通信装置。
【請求項５】
前記送信モジュールが、２４個のデータトーンを備える直交周波数分割多重（ＯＦＤＭ）シンボルを送信するように構成された、請求項１に記載のワイヤレス通信装置。
【請求項６】
前記ローテーションインデックス０、２、１、および３が、それぞれ第１の空間ストリーム、第２の空間ストリーム、第３の空間ストリーム、および第４の空間ストリームに対応する、請求項１に記載のワイヤレス通信装置。
【請求項７】
特定のストリームインターリーバのサブキャリア回転が、前記ベースサブキャリアローテションを乗算された、対応する空間ストリームインデックスの前記インターリーブされたローテーションインデックスの関数である、請求項１に記載のワイヤレス通信装置。
【請求項８】
前記符号化データを前記インターリーバに与えるように構成されたエンコーダをさらに備える、請求項１に記載のワイヤレス通信装置。
【請求項９】
前記送信モジュールが、前記インターリーブされたビットを変調するように構成された変調器を備える、請求項１に記載のワイヤレス通信装置。
【請求項１０】
データをインターリーブする方法であって、前記方法は、
符号化データをインターリーブし、１つまたは複数の空間ストリーム中で送信される一連のインターリーブされたビットを出力することであって、前記インターリーブすることが、
ブロックサイズ２４を使用することと、
インターリーバ深度８を使用することと、
３ないし５および７ないし９のいずれかのベースサブキャリアローテションを使用することと、ここで、サブキャリア回転は、前記ベースサブキャリアローテションおよびインターリーブされたローテーションインデックスの関数である、
最高４つの空間ストリームに対応するインターリーブされたローテーションインデックス０、２、１、３を使用することと、
を備える、インターリーブし、出力することと、
前記１つまたは複数の空間ストリーム中に含まれる前記インターリーブされたビットを送信することと
を備える方法。
【請求項１１】
前記送信することが、１つまたは複数のアンテナを使用して前記インターリーブされたビットを送信することを備える、請求項１０に記載の方法。
【請求項１２】
前記１つまたは複数の空間ストリームの各々に対応する前記符号化データをパースすることをさらに備える、請求項１０に記載の方法。
【請求項１３】
前記送信することが、１ＭＨｚ多入力多出力直交周波数分割多重（ＭＩＭＯ−ＯＦＤＭ）送信を使用して送信することを備える、請求項１０に記載の方法。
【請求項１４】
前記送信することが、２４個のデータトーンを備える直交周波数分割多重（ＯＦＤＭ）シンボルを送信することを備える、請求項１０に記載の方法。
【請求項１５】
前記ローテーションインデックス０、２、１、および３が、それぞれ第１の空間ストリーム、第２の空間ストリーム、第３の空間ストリーム、および第４の空間ストリームに対応する、請求項１０に記載の方法。
【請求項１６】
前記インターリーブすることに関連するサブキャリア回転が、前記ベースサブキャリアローテションを乗算された、対応する空間ストリームインデックスの前記インターリーブされたローテーションインデックスの関数である、請求項１０に記載の方法。
【請求項１７】
前記符号化データを生成するために入力データを符号化することをさらに備える、請求項１０に記載の方法。
【請求項１８】
前記インターリーブされたビットを変調することをさらに備える、請求項１０に記載の方法。
【請求項１９】
一連のインターリーブされたビットを出力するために符号化データをインターリーブするための手段であって、インターリーブするための前記手段が、１つまたは複数の空間ストリームに対応する１つまたは複数のストリームインターリーブ手段を備え、前記１つまたは複数のストリームインターリーブ手段が、
ブロックサイズ２４と、
インターリーバ深度８と、
３ないし５および７ないし９のいずれかのベースサブキャリアローテションと、ここで、サブキャリア回転は、前記ベースサブキャリアローテションおよびインターリーブされたローテーションインデックスの関数である、
最高４つの空間ストリームに対応するインターリーブされたローテーションインデックス０、２、１、３と、
に基づいてインターリーブを実行するためのものである、インターリーブするための手段と、
前記１つまたは複数の空間ストリーム中に含まれる前記インターリーブされたビットを送信するための手段と
を備えるワイヤレス通信装置。
【請求項２０】
コンピュータによって実行されたとき、前記コンピュータに、
符号化データをインターリーブし、１つまたは複数の空間ストリームを介して送信されるべき一連のインターリーブされたビットを出力する、ここにおいて、前記符号化データをインターリーブすることが、
ブロックサイズ２４を使用することと、
インターリーバ深度８を使用することと、
３ないし５および７ないし９のいずれかのベースサブキャリアローテションを使用することと、ここで、サブキャリア回転は、前記ベースサブキャリアローテションおよびインターリーブされたローテーションインデックスの関数である、
最高４つの空間ストリームに対応するインターリーブされたローテーションインデックス０、２、１、３を使用することと、
を備える、ことと、
前記１つまたは複数の空間ストリーム中に含まれる前記インターリーブされたビットを送信することと
を行わせる命令を備える非一時的コンピュータ可読媒体。
【請求項２１】
１つまたは複数の空間ストリーム中に含まれるデータを受信するように構成された受信モジュールと、
前記受信されたデータをデインターリーブするように構成されたデインターリーバと
を備えるワイヤレス通信装置であって、前記デインターリーバが、前記１つまたは複数の空間ストリームに対応する１つまたは複数のストリームデインターリーバを備え、前記１つまたは複数のストリームデインターリーバが、
ブロックサイズ２４と、
インターリーバ深度８と、
３ないし５および７ないし９のいずれかのベースサブキャリアローテションと、ここで、サブキャリア回転は、前記ベースサブキャリアローテションおよびインターリーブされたローテーションインデックスの関数である、
最高４つの空間ストリームに対応するインターリーブされたローテーションインデックス０、２、１、３と、
に基づいてデインターリーブを実行するように構成された、ワイヤレス通信装置。
【請求項２２】
前記受信モジュールが、１ＭＨｚ多入力多出力直交周波数分割多重（ＭＩＭＯ−ＯＦＤＭ）送信を介して前記データを受信するように構成された、請求項２１に記載のワイヤレス通信装置。
【請求項２３】
前記受信モジュールが、２４個のデータトーンを備える直交周波数分割多重（ＯＦＤＭ）シンボルを受信するように構成された、請求項２１に記載のワイヤレス通信装置。
【請求項２４】
前記ローテーションインデックス０、２、１、および３が、それぞれ第１の空間ストリーム、第２の空間ストリーム、第３の空間ストリーム、および第４の空間ストリームに対応する、請求項２１に記載のワイヤレス通信装置。
【請求項２５】
特定のストリームデインターリーバのサブキャリア回転が、前記ベースサブキャリアローテションを乗算された、前記対応する空間ストリームインデックスの前記インターリーブされたローテーションインデックスの関数である、請求項２１に記載のワイヤレス通信装置。
【請求項２６】
前記デインターリーバの出力データを復号するように構成されたデコーダをさらに備える、請求項２１に記載のワイヤレス通信装置。
【請求項２７】
前記受信モジュールが、受信されたデータを復調するように構成された復調器を備える、請求項２１に記載のワイヤレス通信装置。
【請求項２８】
データをデインターリーブする方法であって、前記方法は以下を備える、
１つまたは複数の空間ストリームを介してデータを受信することと、
前記受信されたデータをデインターリーブし、前記１つまたは複数の空間ストリームに対応する一連のデインターリーブされたビットを出力すること、ここにおいて、前記デインターリーブすることが、
ブロックサイズ２４を使用することと、
インターリーバ深度８を使用することと、
３ないし５および７ないし９のいずれかのベースサブキャリアローテションを使用することと、ここで、サブキャリア回転は、前記ベースサブキャリアローテションおよびインターリーブされたローテーションインデックスの関数である、
最高４つの空間ストリームに対応するインターリーブされたローテーションインデックス０、２、１、３を使用することと、を備える。
【請求項２９】
前記受信することが、１つまたは複数のアンテナを介して前記１つまたは複数の空間ストリームを受信することを備える、請求項２８に記載の方法。
【請求項３０】
前記受信することが、１ＭＨｚ多入力多出力直交周波数分割多重（ＭＩＭＯ−ＯＦＤＭ）送信を受信することを備える、請求項２８に記載の方法。
【請求項３１】
前記受信することが、２４個のデータトーンを備える直交周波数分割多重（ＯＦＤＭ）シンボルを受信することを備える、請求項２８に記載の方法。
【請求項３２】
前記ローテーションインデックス０、２、１、および３が、それぞれ第１の空間ストリーム、第２の空間ストリーム、第３の空間ストリーム、および第４の空間ストリームに対応する、請求項２８に記載の方法。
【請求項３３】
前記デインターリーブすることに関連するサブキャリア回転が、前記ベースサブキャリアローテションを乗算された、対応する空間ストリームインデックスの前記インターリーブされたローテーションインデックスの関数である、請求項２８に記載の方法。
【請求項３４】
前記インターリーブされたデータを復号することをさらに備える、請求項２８に記載の方法。
【請求項３５】
前記受信されたデータを復調することをさらに備える、請求項２８に記載の方法。
【請求項３６】
１つまたは複数の空間ストリームを介してデータを受信するための手段と、
前記受信されたデータをデインターリーブするための手段と
を備えるワイヤレス通信装置であって、デインターリーブするための前記手段が、前記１つまたは複数の空間ストリームに対応する１つまたは複数のストリームデインターリーブ手段を備え、前記１つまたは複数のストリームデインターリーブ手段が、
ブロックサイズ２４と、
インターリーバ深度８と、
３ないし５および７ないし９のいずれかのベースサブキャリアローテションと、ここで、サブキャリア回転は、前記ベースサブキャリアローテションおよびインターリーブされたローテーションインデックスの関数である、
最高４つの空間ストリームに対応するインターリーブされたローテーションインデックス０、２、１、３と、
に基づいてデインターリーブを実行するためのものである、ワイヤレス通信装置。
【発明の詳細な説明】
【技術分野】
【０００１】
関連出願の相互参照
本出願は、その内容全体が参照により本明細書に明確に組み込まれる、同一出願人が所有する、２０１１年１２月２日に出願された米国仮特許出願第６１／５６６，５８２号、２０１１年１２月７日に出願された米国仮特許出願第６１／５６８，０８３号、および２０１２年３月２８日に出願された米国仮特許出願第６１／６１６，６８６号の優先権を主張する。
【０００２】
本出願は、一般にワイヤレス通信に関し、より詳細には、インターリーブを実行するためのシステム、方法、およびデバイスに関する。
【背景技術】
【０００３】
多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定されるであろう。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００４】
ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、固定ワイヤードネットワークと比較して、ユーザモビリティと迅速なフィールド展開とを有利な形で可能にする。
【０００５】
ワイヤレスネットワーク中のデバイスは、互いの間で情報を送信／受信し得る。その情報はパケットを含み、それはいくつかの態様ではデータユニットと呼ばれる。パケットは、ネットワークを介してパケットをルーティングすること、パケット中のデータを識別すること、パケットを処理することなどを行うのに役立つオーバーヘッド情報（たとえば、ヘッダ情報、パケットプロパティなど）、ならびに、ユーザデータ、マルチメディアコンテンツなど、パケットのペイロード中で搬送され得るようなデータを含み得る。
【発明の概要】
【０００６】
本開示のシステム、方法、およびデバイスは、それぞれいくつかの態様を有し、それらのうちの単一の態様が単独で本開示の望ましい属性を担当するわけではない。次に、以下の特許請求の範囲によって表される本開示の範囲を限定することなしに、いくつかの特徴について手短に説明する。この説明を考察すれば、特に「発明を実施するための形態」と題するセクションを読めば、本開示の特徴が、１ＭＨｚ多入力多出力直交周波数分割多重（ＭＩＭＯ−ＯＦＤＭ：multiple input multiple output orthogonal frequency-division multiplexing）送信を使用する最適化されたインターリーブを含む利点をどのように提供するかが理解されよう。
【０００７】
本開示の一態様は、符号化データをインターリーブし、一連のインターリーブされたビットを出力するように構成されたインターリーバを含むワイヤレス通信装置を提供する。インターリーバは、１つまたは複数の空間ストリーム（spatial stream）に対応する１つまたは複数のストリームインターリーバを含む。１つまたは複数のストリームインターリーバは、ブロックサイズ２４と、インターリーバ深度（depth）８と、最高４つの空間ストリームに対応するインターリーブされたローテーションインデックス（rotation index）０、２、１、３と、ベースサブキャリアローテション（base subcarrier rotation）９以下（たとえば、２に等しい）とに基づいてインターリーブを実行するように構成される。ワイヤレス通信装置は、１つまたは複数の空間ストリーム中に含まれるインターリーブされたビットを送信するように構成された送信モジュールをさらに含む。
【０００８】
本開示の別の態様は、符号化データをインターリーブし、１つまたは複数の空間ストリーム中で送信される一連のインターリーブされたビットを出力することを含む方法を提供する。インターリーブすることは、ブロックサイズ２４を使用することと、インターリーバ深度８を使用することと、最高４つの空間ストリームに対応するインターリーブされたローテーションインデックス０、２、１、３を使用することと、ベースサブキャリアローテション９以下（たとえば、２に等しい）を使用することとを含む。本方法は、１つまたは複数の空間ストリーム中に含まれるインターリーブされたビットを送信することをさらに含む。
【０００９】
本開示の別の態様は、一連のインターリーブされたビットを出力するために符号化データをインターリーブするための手段を含むワイヤレス通信装置を提供する。インターリーブするための手段は、１つまたは複数の空間ストリームに対応する１つまたは複数のストリームインターリーブ手段を含む。１つまたは複数のストリームインターリーブ手段は、ブロックサイズ２４と、インターリーバ深度８と、最高４つの空間ストリームに対応するインターリーブされたローテーションインデックス０、２、１、３と、ベースサブキャリアローテション９以下（たとえば、２に等しい）とに基づいてインターリーブを実行するためのものである。ワイヤレス通信装置はまた、１つまたは複数の空間ストリーム中に含まれるインターリーブされたビットを送信するための手段を含む。
【００１０】
本開示の別の態様は、コンピュータによって実行されたとき、コンピュータに、符号化データをインターリーブし、１つまたは複数の空間ストリームを介して送信されるべき一連のインターリーブされたビットを出力することを行わせる命令を含む非一時的コンピュータ可読媒体を提供する。符号化データをインターリーブすることは、ブロックサイズ２４を使用することと、インターリーバ深度８を使用することと、最高４つの空間ストリームに対応するインターリーブされたローテーションインデックス０、２、１、３を使用することと、ベースサブキャリアローテション９以下（たとえば、２に等しい）を使用することとを含む。命令はまた、コンピュータによって実行されたとき、コンピュータに、１つまたは複数の空間ストリーム中に含まれるインターリーブされたビットを送信させる。
【００１１】
本開示の別の態様は、１つまたは複数の空間ストリーム中に含まれるデータを受信するように構成された受信モジュールを含むワイヤレス通信装置を提供する。ワイヤレス通信装置は、受信されたデータをデインターリーブするように構成されたデインターリーバをさらに含む。デインターリーバは、１つまたは複数の空間ストリームに対応する１つまたは複数のストリームデインターリーバを含む。１つまたは複数のストリームデインターリーバは、ブロックサイズ２４と、インターリーバ深度８と、最高４つの空間ストリームに対応するインターリーブされたローテーションインデックス０、２、１、３と、ベースサブキャリアローテション９以下（たとえば、２に等しい）とに基づいてデインターリーブを実行するように構成される。
【００１２】
本開示の別の態様は、１つまたは複数の空間ストリームを介してデータを受信することを含む方法を提供する。本方法は、受信されたデータをデインターリーブし、１つまたは複数の空間ストリームに対応する一連のデインターリーブされたビットを出力することをさらに含む。デインターリーブすることは、ブロックサイズ２４を使用することと、インターリーバ深度８を使用することと、最高４つの空間ストリームに対応するインターリーブされたローテーションインデックス０、２、１、３を使用することと、ベースサブキャリアローテション９以下（たとえば、２に等しい）を使用することとを含む。
【００１３】
本開示の別の態様は、１つまたは複数の空間ストリームを介してデータを受信するための手段を含むワイヤレス通信装置を提供する。ワイヤレス通信装置はまた、受信されたデータをデインターリーブするための手段を含む。デインターリーブするための手段は、１つまたは複数の空間ストリームに対応する１つまたは複数のストリームデインターリーブ手段を含む。１つまたは複数のストリームデインターリーブ手段は、ブロックサイズ２４と、インターリーバ深度８と、最高４つの空間ストリームに対応するインターリーブされたローテーションインデックス０、２、１、３と、ベースサブキャリアローテション９以下（たとえば、２に等しい）とに基づいてデインターリーブを実行するためのものである。
【００１４】
本開示の別の態様は、コンピュータによって実行されたとき、コンピュータに、１つまたは複数の空間ストリームを介してデータを受信することを行わせる命令を含む非一時的コンピュータ可読媒体を提供する。命令はまた、コンピュータによって実行されたとき、コンピュータに、受信されたデータをデインターリーブし、１つまたは複数の空間ストリームに対応する一連のデインターリーブされたビットを出力することを行わせる。１つまたは複数の空間ストリームをデインターリーブすることは、ブロックサイズ２４を使用することと、インターリーバ深度８を使用することと、最高４つの空間ストリームに対応するインターリーブされたローテーションインデックス０、２、１、３を使用することと、ベースサブキャリアローテション９以下を使用することとを含む。
【００１５】
本開示の別の態様は、符号化データをインターリーブし、１ＭＨｚ  ＯＦＤＭ送信を介して送信されるべき一連のインターリーブされたビットを出力するように構成されたインターリーバを含む装置を提供する。本装置はまた、インターリーブされたビットを変調するように構成された変調器と、変調されたビットを変換するように構成された変換モジュールとを含む。本装置は、１ＭＨｚ  ＯＦＤＭ送信の１つまたは複数の空間ストリーム中で変換されたビットに対応する信号を送信するように構成された送信モジュールをさらに含む。
【００１６】
本開示の別の態様は、１ＭＨｚ  ＯＦＤＭ送信の１つまたは複数の空間ストリーム中に含まれるビットを受信するように構成された受信モジュールを含む装置を提供する。本装置はまた、受信されたビットを変換するように構成された変換モジュールと、変換されたビットを復調するように構成された復調器とを含む。本装置は、復調されたビットをデインターリーブし、１つまたは複数の空間ストリームに対応するデータを出力するように構成されたデインターリーバをさらに含む。
【図面の簡単な説明】
【００１７】
【図１】本開示の態様が採用され得るワイヤレス通信システムの一例を示す図。
【図２】図１のワイヤレス通信システム内で採用され得る例示的なワイヤレスデバイスの機能ブロック図。
【図３】ワイヤレス通信を送信するために図２のワイヤレスデバイスにおいて利用され得る例示的な構成要素の機能ブロック図。
【図４】ワイヤレス通信を受信するために図２のワイヤレスデバイスにおいて利用され得る例示的な構成要素の機能ブロック図。
【図５】ワイヤレス通信を送信および受信するために図２のワイヤレスデバイスなどのワイヤレスデバイスにおいて実装され得るＭＩＭＯシステムの機能ブロック図。
【図６】ＢＰＳＫ  １／２変調方式を使用する２×２ＭＩＭＯ構成の場合の異なるＮROT値についての例示的な性能結果を示すプロット図。
【図７】ＱＰＳＫ  １／２変調方式を使用する２×２ＭＩＭＯ構成の場合の異なるＮROT値についての例示的な性能結果を示すプロット図。
【図８】１６ＱＡＭ  １／２変調方式を使用する２×２ＭＩＭＯ構成の場合の異なるＮROT値についての例示的な性能結果を示すプロット図。
【図９】６４ＱＡＭ  ２／３変調方式を使用する２×２ＭＩＭＯ構成の場合の異なるＮROT値についての例示的な性能結果を示すプロット図。
【図１０】ＢＰＳＫ  １／２変調方式を使用する４×４ＭＩＭＯ構成（４つの空間ストリーム）の場合の異なるＮROT値についての例示的な性能結果を示すプロット図。
【図１１】ＱＰＳＫ  １／２変調方式を使用する４×４ＭＩＭＯ構成の場合の異なるＮROT値についての例示的な性能結果を示すプロット図。
【図１２】１６ＱＡＭ  １／２変調方式を使用する４×４ＭＩＭＯ構成の場合の異なるＮROT値についての例示的な性能結果を示すプロット図。
【図１３】ＢＰＳＫ  １／２変調方式を使用する１×１ＭＩＭＯ構成の場合の異なるＮCOL値についての例示的な性能結果を示すプロット図。
【図１４】ＱＰＳＫ  １／２変調方式を使用する１×１ＭＩＭＯ構成の場合の異なるＮCOL値についての例示的な性能結果を示すプロット図。
【図１５】１６ＱＡＭ  １／２変調方式を使用する１×１ＭＩＭＯ構成の場合の異なるＮCOL値についての例示的な性能結果を示すプロット図。
【図１６】６４ＱＡＭ  ２／３変調方式を使用する１×１ＭＩＭＯ構成の場合の異なるＮCOL値についての例示的な性能結果を示すプロット図。
【図１７】２５６ＱＡＭ  ３／４変調方式を使用する１×１ＭＩＭＯ構成の場合の異なるＮCOL値についての例示的な性能結果を示すプロット図。
【図１８】ＢＰＳＫ  １／２変調方式を使用する２×２  ２ｓｓ  ＭＩＭＯ構成の場合の異なるＮROT値についての例示的な性能結果を示すプロット図。
【図１９】ＱＰＳＫ  １／２変調方式を使用する２×２  ２ｓｓ  ＭＩＭＯ構成の場合の異なるＮROT値についての例示的な性能結果を示すプロット図。
【図２０】１６ＱＡＭ  １／２変調方式を使用する２×２  ２ｓｓ  ＭＩＭＯ構成の場合の異なるＮROT値についての例示的な性能結果を示すプロット図。
【図２１】６４ＱＡＭ  ２／３変調方式を使用する２×２  ２ｓｓ  ＭＩＭＯ構成の場合の異なるＮROT値についての例示的な性能結果を示すプロット図。
【図２２】ＢＰＳＫ  １／２変調方式を使用する４×４  ４ｓｓ  ＭＩＭＯ構成の場合の異なるＮROT値についての例示的な性能結果を示すプロット図。
【図２３】ＱＰＳＫ  １／２変調方式を使用する４×４  ４ｓｓ  ＭＩＭＯ構成の場合の異なるＮROT値についての例示的な性能結果を示すプロット図。
【図２４】１６ＱＡＭ  １／２変調方式を使用する４×４  ４ｓｓ  ＭＩＭＯ構成の場合の異なるＮROT値についての例示的な性能結果を示すプロット図。
【図２５】図５の例示的なインターリーバの機能ブロック図。
【図２６】データユニットをインターリーブし、送信する例示的な方法のフローチャート。
【図２７】データユニットを受信し、デインターリーブする例示的な方法のフローチャート。
【図２８】図１のワイヤレス通信システム内で採用され得る別の例示的なワイヤレスデバイスの機能ブロック図。
【図２９】図１のワイヤレス通信システム内で採用され得るまた別の例示的なワイヤレスデバイスの機能ブロック図。
【発明を実施するための形態】
【００１８】
添付の図面を参照しながら新規のシステム、装置、および方法の様々な態様について以下でより十分に説明する。ただし、本開示の教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本開示の他の態様とは無関係に実装されるにせよ、本開示の他の態様と組み合わせて実装されるにせよ、本明細書で開示する新規のシステム、装置、および方法のいかなる態様をもカバーするものであることを、当業者なら諒解されたい。たとえば、本明細書に記載の態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実施され得ることを理解されたい。
【００１９】
本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００２０】
ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルの米国電気電子技術者協会（ＩＥＥＥ）８０２．１１ファミリーの任意のメンバーなど、任意の通信規格に適用され得る。たとえば、本明細書で説明する様々な態様は、サブ１ＧＨｚ帯域を使用するＩＥＥＥ８０２．１１ａｈプロトコルの一部として使用され得る。
【００２１】
いくつかの態様では、サブギガヘルツ帯域中のワイヤレス信号は、直交周波数分割多重（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１ａｈプロトコルに従って送信され得る。８０２．１１ａｈプロトコルの実装形態は、センサー、メータリング、およびスマートグリッドネットワークのために使用され得る。有利には、８０２．１１ａｈプロトコルを実装するいくつかのデバイスの態様は、他のワイヤレスプロトコルを実装するデバイスよりも少ない電力を消費し得、および／または比較的長い距離、たとえば約１キロメートル以上にわたってワイヤレス信号を送信するために使用され得る。
【００２２】
いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントが存在し得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイル電話などであり得る。一例では、ＳＴＡは、インターネットまたは他のワイドエリアネットワークへの一般的接続性を取得するためにＷｉＦｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００２３】
アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、または何らかの他の用語を含むか、それらのいずれかとして実装されるか、あるいはそれらのいずれかとして知られていることがある。
【００２４】
局「ＳＴＡ」はまた、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を含むか、それらのいずれかとして実装されるか、あるいはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを含み得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００２５】
上記で説明したように、本明細書で説明するデバイスのいくつかは、たとえば、８０２．１１ａｈ規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサーアプリケーションを与えるか、またはホームオートメーションにおいて使用され得る。デバイスは、代わりにまたは追加として、パーソナルヘルスケアなどのヘルスケアコンテキストにおいて使用され得る。デバイスはまた、（たとえばホットスポットとともに使用する）拡張された範囲のインターネット接続性を可能にするために、またはマシンツーマシン通信を実装するために、監視のために使用され得る。
【００２６】
本明細書で説明するデバイスのうちのいくつかは、さらに、多入力多出力（ＭＩＭＯ）技術を実装し、８０２．１１ａｈ規格の一部として実装され得る。ＭＩＭＯシステムは、データ伝送のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は、１つの次元に対応する。複数の送信アンテナおよび受信アンテナによって生成された追加の次元数が利用された場合、ＭＩＭＯシステムは性能の改善（たとえば、より高いスループットおよび／またはより大きい信頼性）を与えることができる。
【００２７】
図１に、本開示の態様が採用され得るワイヤレス通信システム１００の一例を示す。ワイヤレス通信システム１００は、ワイヤレス規格、たとえば８０２．１１ａｈ規格に従って動作し得る。ワイヤレス通信システム１００は、ＳＴＡ１０６と通信するＡＰ１０４を含み得る。
【００２８】
様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭアクセス（ＯＦＤＭＡ）技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００２９】
ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００３０】
ＡＰ１０４は、基地局として働き、基本サービスエリア（ＢＳＡ）１０２においてワイヤレス通信カバレージを与え得る。ＡＰ１０４は、ＡＰ１０４に関連し、また通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。したがって、本明細書で説明するＡＰ１０４の機能は、ＳＴＡ１０６のうちの１つまたは複数によって代替的に実行され得る。ＡＰ１０４および／またはＳＴＡ１０６は、本明細書で説明する技法に従ってインターリーブされるデータを送信し、および／または本明細書で説明する技法に従ってデータを受信し、デインターリーブし得る。たとえば、そのようなデータは、１ＭＨｚ  ＭＩＭＯ−ＯＦＤＭ送信を介して通信され得る。
【００３１】
図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を含むか、またはＳＴＡ１０６のうちの１つを含み得る。
【００３２】
ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部分は不揮発性ランダムアクセスメモリ（ＮＶＲＡＭ）をも含み得る。プロセッサ２０４は、一般に、メモリ２０６内に記憶されたプログラム命令に基づいて論理演算と算術演算とを実行する。メモリ２０６中の命令は、本明細書で説明する方法を実装するように実行可能であり得る。
【００３３】
プロセッサ２０４は、１つまたは複数のプロセッサとともに実装された処理システムを含み得るか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００３４】
処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００３５】
ワイヤレスデバイス２０２はまた、ワイヤレスデバイス２０２と遠隔ロケーションとの間のデータの送信および受信を可能にするために送信機２１０と受信機２１２とを含み得るハウジング２０８を含み得る。送信機２１０と受信機２１２とは、組み合わされてトランシーバ２１４になり得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナをも含み得る（図示せず）。
【００３６】
ワイヤレスデバイス２０２は、トランシーバ２１４によって受信された信号のレベルを検出し、定量化するために使用され得る、信号検出器２１８をも含み得る。信号検出器２１８は、そのような信号を、総エネルギー、シンボルごとのサブキャリア当たりのエネルギー、電力スペクトル密度、および他の信号として検出し得る。ワイヤレスデバイス２０２は、信号を処理する際に使用するデジタル信号プロセッサ（ＤＳＰ）２２０をも含み得る。ＤＳＰ２２０は、送信のためのデータユニットを生成するように構成され得る。いくつかの態様では、データユニットは物理レイヤデータユニット（ＰＰＤＵ：physical layer data unit）を含み得る。いくつかの態様では、ＰＰＤＵはパケットと呼ばれる。
【００３７】
ワイヤレスデバイス２０２は、いくつかの態様ではユーザインターフェース２２２をさらに含み得る。ユーザインターフェース２２２は、キーパッド、マイクロフォン、スピーカー、および／またはディスプレイを含み得る。ユーザインターフェース２２２は、ワイヤレスデバイス２０２のユーザに情報を伝達し、および／またはユーザからの入力を受信する、任意の要素または構成要素を含み得る。
【００３８】
ワイヤレスデバイス２０２の様々な構成要素は、バスシステム２２６によって互いに結合され得る。バスシステム２２６は、たとえば、データバスを含み得、ならびに、データバスに加えて、電力バス、制御信号バス、およびステータス信号バスを含み得る。ワイヤレスデバイス２０２の構成要素が、何らかの他の機構を使用して、互いに結合されるかあるいは互いに入力を受け付けるかまたは与え得ることを当業者なら諒解されよう。
【００３９】
図２には、いくつかの別個の構成要素が示されているが、構成要素のうちの１つまたは複数が組み合わせられ得るかまたは共通に実装され得ることを当業者は認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。
【００４０】
上記で説明したように、ワイヤレスデバイス２０２は、ＡＰ１０４またはＳＴＡ１０６を含み得、通信を送信および／または受信するために使用され得る。たとえば、ワイヤレスデバイス２０２は、本明細書で説明する技法に従ってインターリーブされるデータを送信し、および／または本明細書で説明する技法に従ってデータを受信し、デインターリーブし得る。たとえば、そのようなデータは、１ＭＨｚ  ＭＩＭＯ−ＯＦＤＭ送信を介して通信され得る。図３に、ワイヤレス通信を送信するためにワイヤレスデバイス２０２において利用され得る様々な構成要素を示す。図３に示す構成要素は、たとえば、ＯＦＤＭ通信を送信するために、使用され得る。いくつかの態様では、図３に示す構成要素は、以下でさらに詳細に説明するように、ピーク対電力平均比ができる限り低いトレーニングフィールドをもつデータユニットを送信するために使用される。参照しやすいように、図３に示す構成要素で構成されたワイヤレスデバイス２０２を、以下ではワイヤレスデバイス２０２ａと呼ぶ。
【００４１】
ワイヤレスデバイス２０２ａは、送信のためにビットを変調するように構成された変調器３０２を含み得る。たとえば、変調器３０２は、たとえばコンスタレーションに従ってビットを複数のシンボルにマッピングすることによって、プロセッサ２０４またはユーザインターフェース２２２から受信されたビットから複数のシンボルを判断し得る。それらのビットは、ユーザデータまたは制御情報に対応し得る。いくつかの態様では、それらのビットはコードワードにおいて受信される。一態様では、変調器３０２は、ＱＡＭ（直交振幅変調）変調器、たとえば１６ＱＡＭ変調器または６４ＱＡＭ変調器を含む。他の態様では、変調器３０２は、２位相シフトキーイング（ＢＰＳＫ）変調器または４位相シフトキーイング（ＱＰＳＫ）変調器を含む。
【００４２】
ワイヤレスデバイス２０２ａは、変調器３０２からのシンボルまたはさもなければ変調されたビットを時間領域に変換するように構成された変換モジュール３０４をさらに含み得る。図３では、変換モジュール３０４は、逆高速フーリエ変換（ＩＦＦＴ）モジュールによって実装されるものとして示されている。いくつかの実装形態では、異なるサイズのデータのユニットを変換する複数の変換モジュール（図示せず）があり得る。
【００４３】
図３では、変調器３０２と変換モジュール３０４は、ＤＳＰ２２０中で実装されるものとして示されている。しかしながら、いくつかの態様では、変調器３０２と変換モジュール３０４の一方または両方が、プロセッサ２０４中でまたはワイヤレスデバイス２０２の別の要素中で実装される。
【００４４】
上記で説明したように、ＤＳＰ２２０は、送信のためのデータユニットを生成するように構成され得る。いくつかの態様では、変調器３０２および変換モジュール３０４は、制御情報を含む複数のフィールドと複数のデータシンボルとを含むデータユニットを生成するように構成され得る。制御情報を含むそれらのフィールドは、たとえば、１つまたは複数のトレーニングフィールドと、１つまたは複数の信号（ＳＩＧ）フィールドとを含み得る。トレーニングフィールドの各々は、ビットまたはシンボルの既知のシーケンスを含み得る。ＳＩＧフィールドの各々は、データユニットに関する情報、たとえばデータユニットの長さまたはデータレートの記述を含み得る。
【００４５】
図３の説明に戻ると、ワイヤレスデバイス２０２ａは、変換モジュールの出力をアナログ信号に変換するように構成されたデジタルアナログ変換器３０６をさらに含み得る。たとえば、変換モジュール３０６の時間領域出力は、デジタルアナログ変換器３０６によってベースバンドＯＦＤＭ信号に変換され得る。デジタルアナログ変換器３０６は、プロセッサ２０４中でまたはワイヤレスデバイス２０２の別の要素中で実装され得る。いくつかの態様では、デジタルアナログ変換器３０６は、トランシーバ２１４中でまたはデータ送信プロセッサ中で実装される。
【００４６】
アナログ信号は送信機２１０によってワイヤレス送信され得る。アナログ信号は、送信機２１０によって送信される前に、たとえばフィルタ処理されることによって、あるいは中間またはキャリア周波数にアップコンバートされることによって、さらに処理され得る。図３に示す態様では、送信機２１０は送信増幅器３０８を含む。送信されるより前に、アナログ信号は送信増幅器３０８によって増幅され得る。いくつかの態様では、増幅器３０８は低雑音増幅器（ＬＮＡ）を含む。
【００４７】
送信機２１０は、アナログ信号に基づいてワイヤレス信号中の１つまたは複数のパケットまたはデータユニットを送信するように構成される。それらのデータユニットは、プロセッサ２０４および／またはＤＳＰ２２０を使用して、たとえば上記で説明したように変調器３０２および変換モジュール３０４を使用して、生成され得る。上記で説明したように生成され、送信され得るデータユニットについて、図５〜図２９に関して以下でさらに詳細に説明する。ワイヤレスデバイス２０２ａは、本明細書で説明する技法に従ってインターリーブされるデータを送信し得る。たとえば、そのようなデータは、１ＭＨｚ  ＭＩＭＯ−ＯＦＤＭ送信を介して通信され得る。
【００４８】
図４に、ワイヤレス通信を受信するためにワイヤレスデバイス２０２において利用され得る様々な構成要素を示す。図４に示す構成要素は、たとえば、ＯＦＤＭ通信を受信するために、使用され得る。いくつかの態様では、図４に示す構成要素は、以下でさらに詳細に説明するように、１つまたは複数のトレーニングフィールドを含むデータユニットを受信するために使用される。たとえば、図４に示す構成要素は、図３に関して上記で説明した構成要素によって送信されたデータユニットを受信するために使用され得る。参照しやすいように、図４に示す構成要素で構成されたワイヤレスデバイス２０２を、以下ではワイヤレスデバイス２０２ｂと呼ぶ。ワイヤレスデバイス２０２ｂは、本明細書で説明する技法に従ってデータを受信し、デインターリーブし得る。たとえば、そのようなデータは、１ＭＨｚ  ＭＩＭＯ−ＯＦＤＭ送信を介して通信され得る。
【００４９】
受信機２１２は、ワイヤレス信号中の１つまたは複数のパケット、またはデータユニットを受信するように構成される。以下で説明するように受信され、復号され、またはさもなければ処理され得るデータユニットについて、図５〜図２９に関してさらに詳細に説明する。
【００５０】
図４に示す態様では、受信機２１２は受信増幅器４０１を含む。受信増幅器４０１は、受信機２１２によって受信されたワイヤレス信号を増幅するように構成され得る。いくつかの態様では、受信機２１２は、自動利得制御（ＡＧＣ）プロシージャを使用して受信増幅器４０１の利得を調整するように構成される。いくつかの態様では、自動利得制御は、たとえば、利得を調整するために、受信されたショートトレーニングフィールド（ＳＴＦ：short training field）など、１つまたは複数の受信されたトレーニングフィールド中の情報を使用する。当業者はＡＧＣを実行するための方法を理解されよう。いくつかの態様では、増幅器４０１はＬＮＡを含む。
【００５１】
ワイヤレスデバイス２０２ｂは、受信機２１２からの増幅されたワイヤレス信号をそれのデジタル表現に変換するように構成されたアナログデジタル変換器４０２を含み得る。増幅されることに加えて、ワイヤレス信号は、デジタルアナログ変換器４０２によって変換される前に、たとえばフィルタ処理されることによって、あるいは中間またはベースバンド周波数にダウンコンバートされることによって処理され得る。アナログデジタル変換器４０２は、プロセッサ２０４中でまたはワイヤレスデバイス２０２の別の要素中で実装され得る。いくつかの態様では、アナログデジタル変換器４０２は、トランシーバ２１４中でまたはデータ受信プロセッサ中で実装される。
【００５２】
ワイヤレスデバイス２０２ｂは、ワイヤレス信号の表現を周波数スペクトルに変換するように構成された変換モジュール４０４をさらに含み得る。図４では、変換モジュール４０４は、高速フーリエ変換（ＦＦＴ）モジュールによって実装されるものとして示されている。いくつかの態様では、変換モジュール４０４は、変換モジュール４０４によって使用される各点についてシンボルを識別し得る。たとえば、３２点サイズＦＦＴモジュールは３２個のシンボルを識別し得る。
【００５３】
ワイヤレスデバイス２０２ｂは、データユニットがそれを介して受信されるチャネルの推定値を形成することと、チャネル推定値に基づいてチャネルのいくつかの影響を除去することとを行うように構成された、チャネル推定器および等化器４０５をさらに含み得る。たとえば、チャネル推定器は、チャネルの関数を近似するように構成され得、チャネル等化器は、その関数の逆を周波数スペクトルにおけるデータに適用するように構成され得る。
【００５４】
いくつかの態様では、チャネル推定器および等化器４０５は、たとえば、チャネルを推定するために、ロングトレーニングフィールド（ＬＴＦ：long training field）など、１つまたは複数の受信されたトレーニングフィールド中の情報を使用する。チャネル推定値は、データユニットの始端において受信された１つまたは複数のＬＴＦに基づいて形成され得る。このチャネル推定値は、その後、上記１つまたは複数のＬＴＦに続くデータシンボルを等化するために使用され得る。一定の時間期間の後にまたは一定数のデータシンボルの後に、データユニット中で１つまたは複数の追加のＬＴＦが受信され得る。追加のＬＴＦを使用して、チャネル推定値は更新され得、または新しい推定値が形成され得る。この新しいまたは更新されたチャネル推定値は、追加のＬＴＦに続くデータシンボルを等化するために使用され得る。いくつかの態様では、新しいまたは更新されたチャネル推定値は、追加のＬＴＦに先行するデータシンボルを再等化するために使用される。当業者はチャネル推定値を形成するための方法を理解されよう。
【００５５】
ワイヤレスデバイス２０２ｂは、等化されたデータを復調するように構成された復調器４０６をさらに含み得る。たとえば、復調器４０６は、たとえばコンスタレーションにおけるビットとシンボルとのマッピングを逆転させることによって、変換モジュール４０４とチャネル推定器および等化器４０５とによって出力されたシンボルから複数のビットを判断し得る。それらのビットは、プロセッサ２０４によって処理または評価され得るか、あるいはユーザインターフェース２２２に情報を表示するかまたはさもなければ出力するために使用され得る。このようにして、データおよび／または情報が復号され得る。いくつかの態様では、それらのビットはコードワードに対応する。一態様では、復調器４０６は、ＱＡＭ（直交振幅変調）復調器、たとえば１６ＱＡＭ復調器または６４ＱＡＭ復調器を含む。他の態様では、復調器４０６は、２位相シフトキーイング（ＢＰＳＫ）復調器または４位相シフトキーイング（ＱＰＳＫ）復調器を含む。
【００５６】
図４では、変換モジュール４０４と、チャネル推定器および等化器４０５と、復調器４０６とは、ＤＳＰ２２０中で実装されるものとして示されている。しかしながら、いくつかの態様では、変換モジュール４０４と、チャネル推定器および等化器４０５と、復調器４０６とのうちの１つまたは複数が、プロセッサ２０４中でまたはワイヤレスデバイス２０２の別の要素中で実装される。
【００５７】
上記で説明したように、受信機２１２において受信されたワイヤレス信号は、１つまたは複数のデータユニットを含む。上記で説明した機能または構成要素を使用して、データユニットまたはそれの中のデータシンボルは、復号または評価されるか、あるいはさもなければ評価または処理され得る。たとえば、プロセッサ２０４および／またはＤＳＰ２２０は、変換モジュール４０４と、チャネル推定器および等化器４０５と、復調器４０６とを使用して、データユニット中のデータシンボルを復号するために、使用され得る。
【００５８】
ＡＰ１０４とＳＴＡ１０６とによって交換されるデータユニットは、上記で説明したように、制御情報またはデータを含み得る。物理（ＰＨＹ）レイヤにおいて、これらのデータユニットは物理レイヤプロトコルデータユニット（ＰＰＤＵ：physical layer protocol data unit）と呼ばれることがある。いくつかの態様では、ＰＰＤＵはパケットまたは物理レイヤパケットと呼ばれることがある。各ＰＰＤＵはプリアンブルとペイロードとを含み得る。プリアンブルはトレーニングフィールドとＳＩＧフィールドとを含み得る。ペイロードは、たとえば、メディアアクセス制御（ＭＡＣ）ヘッダまたは他のレイヤのためのデータ、および／またはユーザデータを含み得る。ペイロードは、１つまたは複数のデータシンボルを使用して送信され得る。本明細書のシステム、方法、およびデバイスは、ピーク対電力比が最小限に抑えられたトレーニングフィールドをもつデータユニットを利用し得る。
【００５９】
ＯＦＤＭを使用するとき、情報は、使用されている周波数帯域のいくつかの直交サブキャリアを使用する。使用されるサブキャリアの数は、使用のための利用可能な周波数帯域と、帯域幅と、関連する規制制約とを含む様々な考慮事項に依存し得る。各変調されたサブキャリアは、送信されるＯＦＤＭ信号を作成するためのＩＦＦＴモジュールへの入力であるので、使用されるサブキャリアの数はＦＦＴモジュールのサイズに相関する。したがって、いくつかの実装形態では、より大きいＦＦＴサイズ（たとえば、６４、１２８、２５６、５１２）は、より多くのサブキャリアを使用してデータを送信することに対応して、より大きい帯域幅を達成することを望まれ得る。他の実装形態では、より小さいＦＦＴサイズは、狭い帯域幅中でデータを送信するために使用され得る。サブキャリアの数、したがって、ＦＦＴサイズは、いくつかの帯域幅制限をもつ規制領域に準拠するように選定され得る。たとえば、３２のＦＦＴサイズは、いくつかの実装形態の場合に（たとえば、ダウンクロックされた実装形態の場合に）与えられ、８０２．１１ａｈの場合に使用するために与えられ得る。したがって、ワイヤレスデバイス２０２ａは、それぞれ、使用されることが指定されたサブキャリアの数に準拠するようにサイズが異なる、ＦＦＴまたはＩＦＦＴモジュールとして実装されるいくつかの変換モジュール３０４を含み得る。変換モジュール３０４のうちの少なくとも１つは、本明細書で説明するいくつかの態様によれば、３２点サイズＩＦＦＴまたはＦＦＴモジュールであり得る。
【００６０】
損失の多いワイヤレス通信媒体が与えられ、信号が大部分は正しく復元され得ることを保証するために、様々な構成要素がワイヤレス通信デバイス２００内に含まれ得る。１つの技法は、誤り訂正の使用である。誤り訂正を用いると、１つまたは複数のビットが失われたとき、その１つまたは複数のビットは、どんな誤り訂正コーディングが行われていても、それに従って、失われなかった他のビットを使用して復元され得る。誤り訂正が、すべての誤りを訂正することが可能でないことがあるので、いくつかの誤り状態は、復元できない誤りを生じることがある。たとえば、４つの情報ビットが、リードソロモン誤り訂正符号化（Reed-Solomon error correcting encoding）を使用して７つの送信されるビットに符号化される場合、７つの送信されるビットのうちの任意の４つのビットが復元される場合、その４つの情報ビットが決定され得る。しかしながら、送信されるビットのうちの４つ以上が失われた場合、完全な情報は復元され得ない。いくつかのそのような符号化がある場合、４つのビットが失われたとき、１つの符号化からすべての４つのビットが失われた場合、情報は失われるが、４つのビットが失われ、符号化ごとに２つのビットが失われた場合、情報は復元可能であることに留意されたい。潜在的損失を拡散することに対する１つの手法は、インターリーブである。
【００６１】
図５は、ワイヤレス通信を送信および受信するために図２のワイヤレスデバイス２０２などのワイヤレスデバイスにおいて実装され得るＭＩＭＯシステムの機能ブロック図である。送信されるべきビットは、ワイヤレスデバイス２０２ａのエンコーダ５０４に与えられ、ワイヤレスデバイス２０２ａは、受信機２０２ｂの出力において受信されるべきビットストリームに対して、前方誤り訂正（ＦＥＣ）コードを適用し得る。ＦＥＣコードは、ブロックコード、畳み込みコードなどであり得る。符号化されたビットは、受信された入力をＭ個の送信ストリームに分配するインターリービングシステム５０５に与えられる。
【００６２】
以下の略語は、以下でインターリービングシステム５０５について説明することに関連して使用され得る。
【００６３】
ＮCBPS：シンボル当たりのコード化されたビットの数、
ＮCBPSS（ｉ）：ｉ番目の空間ストリーム当たりのシンボル当たりのコード化されたビットの数、
ＮDBPS：シンボル当たりのデータビットの数、
ＮBPSC：シングルキャリア当たりのコード化されたビットの数、
ＮBPSCS（ｉ）：空間ストリームｉのためのシングルキャリア当たりのコード化されたビットの数、
ＮSS：空間ストリームの数、
ｉSS：空間ストリーム、
ＮCOL：インターリーバ列の数またはインターリーブ深さ（ＩDEPTH）、
ＮROW：インターリーバ行の数、および
Ｄn：送信機／空間ストリーム（ＴＸ）のためのサブキャリアのシフト。
【００６４】
インターリービングシステム５０５は、エンコーダ５０４からの入力ビットストリームを、５０８ａ、５０８ｂ、および５０８ｃと示されたＮ個の空間ストリームインターリーバにパース（parse）する、ストリームパーサ５０６を含む。パーサは、空間ストリームの数を与えられ、ラウンドロビンベース（round-robin basis）でビットをパースし得る。他のパース関数も使用され得る。使用され得る１つのパース関数はｋn＝ＮTX＊ｋ＋ｎである（すなわち、空間ストリームごとに１ビットを用いて、次いで次の空間ストリームに移る、ラウンドロビンであり、ここで、ｋnは入力ビットインデックスであり、ＮTXは送信機／空間ストリームの数である）。別のより一般的な関数ｆ（ｋ，ｎ）も使用され得、たとえば、ある空間ストリームに２ビットを送り、それから次の空間ストリームに移る。各ストリームインターリーバ５０８ａ、５０８ｂ、および５０８ｃは、その後、フェージングまたは他のチャネル状態による誤りが復元され得るように、ビットを分配し得る。以下で、ストリームインターリーバ５０８ａ、５０８ｂ、および５０８ｃは、インターリーバ５０８と総称されることがある。
【００６５】
一態様では、インターリーバ５０８は、周波数インターリーブを実行するように構成され得る。ストリームパーサ５０５は、ＮCBPSS（ｉSS）ビットのブロックを出力し得る。各ブロックは、次いで、行に書き込み、列を読み出すインターリーバ５０８によってインターリーブされ得る。列ＮCOLの数またはインターリーバ深度は、使用される特定の帯域幅および周波数の場合の誤りを復元する能力を最適化するために選定され得る。一実施形態では、１ＭＨｚ  ＯＦＤＭ−ＭＩＭＯ送信が使用され得る。１ＭＨｚ内では、３２個の直交サブキャリアが利用可能であり得る。一態様では、３２個の可能なサブキャリアの中から、２４個のサブキャリア（すなわち、トーン）が、データを送信するために使用され得、残りのトーンは、２つのパイロットトーンと、１つのＤＣトーンと、５つのガードトーンとのために使用され得る。したがって、インターリーバ深度ＮCOLは、様々な実施形態によれば、２４個のデータトーンについて最適化され得る。一態様では、インターリーバ深度ＮCOLは、データトーンの数の係数（すなわち、係数２４）になるように選定され得る。したがって、本開示の一実施形態では、ＮCOLは、４、６、８、および１２のグループから選択され得る。選択された深度ＮCOLは、受信機２０２ｂにおいてメッセージを復元することが可能になるために、どの深度が２４個のトーンにわたって最高の周波数ダイバーシティを与えるかに基づいて選定され得る。
【００６６】
一実施形態では、選択された深度ＮCOLは６であり得る。たとえば、インターリーバ深度６は、場合によっては、たとえば、パケット誤り率を考慮するときに、１×１ＭＩＭＯ構成の場合の性能の改善を与え得る。しかしながら、他の深度も使用され、他の利点を与え得る。
【００６７】
別の実施形態では、選択された深度ＮCOLは８であり得る。たとえば、インターリーバ深度８は、場合によっては、たとえば、パケット誤り率を考慮するときに、１×１ＭＩＭＯ構成の場合の性能の改善を与え得る。
【００６８】
インターリーバ５０８は、エンコーダ５０４から入力シーケンス中でコード化されたビットを受信し得、ここで、コード化されたビットは、ｋによって表されるインデックスを有する（すなわち、ビットは、ｋ＝０、ｋ＝１、ｋ＝２などとして到着する）。インターリーバは、次いで、ビットがインデックス「ｊ」による順序で出力されるようにビットを並べ替え得る。この配列を使用して、隣接ビットは、ビットがいくつかのサブキャリアによって異なるように分離され得る。ＱＰＳＫまたはより高次のコンスタレーションの場合、所与のサブキャリア内に１６ビットの差があり得る。インターリーブは、３つの置換を使用して定義され得る。第１の置換は、式１によって与えられ得る。
【数１】
0005989831.tif 000002
【００６９】
上記で説明したように、ＮCOLは、２４個のデータトーンの場合、４、６、８、および１２のグループから選択され得る。第２の置換は、式２によって与えられ得る。
【数２】
0005989831.tif 000003
【００７０】
ｓ（ｉSS）の値は、サブキャリア当たりのコード化されたビットの数によって決定され得る。２つ以上の空間ストリームが存在する（すなわち、ＮSS＞１である）場合、インターリーバ５０８は第３の置換において周波数ローテーション（frequency rotation）を実行し得る。周波数ローテーションは、式３に示すように第２の置換の後に適用され得、ｉSSは、インターリーバが動作している空間ストリームのインデックスであり、ＮROTはベースサブキャリアローテションを定義する。
【数３】
0005989831.tif 000004
【００７１】
周波数ローテーションは定義され得、ここでサブキャリア回転Ｄn（すなわち、各インターリーバが開始するブロック中のコード化されたデータ）は、式Ｄn＝ＮROT＊ｒｏｔによって与えられるように、ベースサブキャリアローテションＮROTとインターリーブされたローテーションインデックス「ｒｏｔ」との関数である。これは、第２の置換から出力された（上記で説明したように行および列からなる）行列において、各空間ストリームが、各利用可能なデータトーンと対応する周波数との上で値を送信するために開始する場合を定義する。
【００７２】
一実施形態によれば、ベースサブキャリアローテションＮROTとローテーションインデックスｒｏｔとについての値は、１ＭＨｚ  ＯＦＤＭ−ＭＩＭＯ送信とともに使用するために決定され得る。それらの値は、周波数ダイバーシティの改善を与えるために、および最初に隣接するコード化されたビットコード化されたビットが空間ストリームと周波数との間に両方とも点在することを保証するために、２４個のデータトーンについて最適化され得る。２４個のデータトーンの場合、ベースサブキャリアローテションＮROTは、ｆｌｏｏｒ（２４／４）＝６、ｆｌｏｏｒ（２４／５）＝４、ｆｌｏｏｒ（２４／３）＝８などであり得る。２４個のデータトーンについて最適化されるために、回転ＮROTは、値２、３、４、５、６、７、８、および９のグループから選定され得る。一実施形態では、値７をもつＮROTは、場合によっては、たとえば、空間ストリームの数が１よりも大きいとき、性能の改善を与え得る。別の実施形態では、値２をもつＮROTは、場合によっては、たとえば、空間ストリームの数が１よりも大きいとき、性能の改善を与え得る。
【００７３】
最高４つの空間ストリームを仮定すると、インターリーブされたローテーションインデックスｒｏｔは、ｒｏｔ＝［０  ２  １  ３］であり得、ここで各インデックスは異なる空間ストリームに対応する。ローテーションインデックスは、各インターリーバが、そこで対応するデータトーンにマッピングし始めるブロックの中のデータが、空間ストリームの変動する数に与えられた、最大距離だけ分離されることを保証するように決定され得る。インデックス［０  ２  １  ３］は、隣接ストリームペア（ストリーム１、２、３、および４）が周波数において最大限に分離されるように、ビット反転演算によって決定され得る。したがって、ＮROTが４になるように選定された場合、第１の空間ストリームの場合のインターリーバ５０８は、第２の置換によって出力されたそれのブロックの１番目の位置に対応するビットを、式Ｄn＝ＮROT＊ｒｏｔ（すなわち、４＊０）による第１のデータトーンにマッピングし得る。第２の空間ストリームの場合、ＮROT＝４を仮定すると、サブキャリア回転は４＊２、すなわち８になる。したがって、第２の空間ストリームの場合のインターリーバ５０８は、それのブロックの８番目の位置に対応するビットをその空間ストリームのための第１のデータトーンにマッピングし得る。第３の空間ストリームの場合、ＮROT＝４を仮定すると、サブキャリア回転は４＊１、すなわち４になる。したがって、第３の空間ストリームの場合のインターリーバ５０８は、それのブロックの４番目の位置に対応するビットを第１のデータトーンにマッピングし得る。最後に、第４の空間ストリームは、ブロックの１２番目の位置に対応するビットを第１のデータトーンにマッピングすることになる。
【００７４】
上述したように、ＮROT＝２は、たいていの場合、空間ストリームの数が１よりも大きく、ＮCOL＝８の場合に性能の改善を与え得る。したがって、サブキャリア回転は、２＊［０  ２  １  ３］に等しくなり得る。したがって、ＮROTが２になるように選定された場合、第１の空間ストリームの場合のインターリーバ５０８は、第２の置換によって出力されたそれのブロックの１番目の位置に対応するビットを、式Ｄn＝ＮROT＊ｒｏｔ（すなわち、２＊０）による第１のデータトーンにマッピングし得る。第２の空間ストリームの場合、ＮROT＝２を仮定すると、サブキャリア回転は２＊２、すなわち４になる。したがって、第２の空間ストリームの場合のインターリーバ５０８は、それのブロックの４番目の位置に対応するビットをその空間ストリームのための第１のデータトーンにマッピングし得る。第３の空間ストリームの場合、ＮROT＝２を仮定すると、サブキャリア回転は２＊１、すなわち２になる。したがって、第３の空間ストリームの場合のインターリーバ５０８は、それのブロックの２番目の位置に対応するビットを第１のデータトーンにマッピングし得る。最後に、第４の空間ストリームは、ブロックの６番目の位置に対応するビットを第１のデータトーンにマッピングすることになる。
【００７５】
以下の表１は、たとえば、異なるＭＩＭＯ構成と異なる変調およびコーディング方式（ＭＣＳ）との場合にＮROT＝４と比較してＮROT＝２を使用する利点を示し得、ＰＥＲはパケット誤り率である。
【表１】
0005989831.tif 000005
【００７６】
上記によれば、したがって、ＮCOLとＮROTとローテーションインデックスｒｏｔとについての値は、２４個のデータトーンとともに使用する１ＭＨｚ  ＭＩＭＯ−ＯＦＤＭ送信のために決定され得る。どの値を選択すべきかを決定するために、様々な考慮事項が使用され得る。たとえば、考慮事項は、パケット長（たとえば、２５６バイト）、ＭＩＭＯ構成（たとえば、１×１、２×２  ２ｓｓ、および４×４  ４ｓｓ）、チャネルのタイプ、または変調およびコーディング方式（たとえば、ＢＰＳＫ  １／２、ＱＰＳＫ  １／２、１６ＱＡＭ  １／２、６４ＱＡＭ  ２／３、２５６ＱＡＭ  ３／４）を含み得る。図６〜図２４に、ＮCOLとＮROTとの様々な選択の場合の性能のシミュレーションの例を示し、プロットは信号対雑音比（ＳＮＲ）対パケット誤り率（ＰＥＲ）を示す。図６〜図２４によって示すように、ＮCOL＝８およびＮROT＝２は、空間ストリームの数が１よりも大きいときに性能の改善を与え得る。いくつかの実施形態では、ＮCOL＝６は、ＭＩＭＯ１×１構成の場合に性能の改善を与え得る。
【００７７】
図６は、ＮCOL＝８のときにＢＰＳＫ  １／２変調方式を使用する２×２ＭＩＭＯ構成の場合の異なるＮROT値についての例示的な性能結果を示すプロット図である。図６に示すように、ＮROT＝２は、ＮROTについての他の値と比較して性能の改善を与え、１％のＰＥＲにおいてＮROT＝４よりも約０．４ｄＢだけ良い性能の改善を与え得る。
【００７８】
図７は、ＮCOL＝８の場合にＱＰＳＫ  １／２変調方式を使用する２×２ＭＩＭＯ構成の場合の異なるＮROT値についての例示的な性能結果を示すプロット図である。図７に示すように、ＮROT＝２は、ＮROTについての他の値と比較して性能の改善を与え、１％のＰＥＲにおいてＮROT＝４よりも約０．５５ｄＢだけ良い性能の改善を与え得る。
【００７９】
図８は、ＮCOL＝８の場合に１６ＱＡＭ  １／２変調方式を使用する２×２ＭＩＭＯ構成の場合の異なるＮROT値についての例示的な性能結果を示すプロット図である。図８に示すように、ＮROT＝８は、ＮROTについての他の値と比較して性能の改善を与え、１％のＰＥＲにおいてＮROT＝４よりも約０．０５ｄＢだけ良く、１％のＰＥＲにおいてＮROT＝２よりも約０．２ｄＢだけ良い性能の改善を与え得る。
【００８０】
図９は、ＮCOL＝８の場合に６４ＱＡＭ  ２／３変調方式を使用する２×２ＭＩＭＯ構成の場合の異なるＮROT値についての例示的な性能結果を示すプロット図である。図９に示すように、ＮROT＝８は、ＮROTについての他の値と比較して性能の改善を与え、１％のＰＥＲにおいてＮROT＝４よりも約０．８ｄＢだけ良く、１％のＰＥＲにおいてＮROT＝２よりも約０．０５ｄＢだけ良い性能の改善を与え得る。
【００８１】
図１０は、ＮCOL＝８のときにＢＰＳＫ  １／２変調方式を使用する４×４ＭＩＭＯ構成（４つの空間ストリーム）の場合の異なるＮROT値についての例示的な性能結果を示すプロット図である。図１０に示すように、ＮROT＝２は、ＮROTについての他の値と比較して性能の改善を与え、１％のＰＥＲにおいてＮROT＝４よりも約０．２５ｄＢだけ良い性能の改善を与え得る。
【００８２】
図１１は、ＮCOL＝８の場合にＱＰＳＫ  １／２変調方式を使用する４×４ＭＩＭＯ構成の場合の異なるＮROT値についての例示的な性能結果を示すプロット図である。図１１に示すように、ＮROT＝７は、ＮROTについての他の値と比較して性能の改善を与え、１％のＰＥＲにおいてＮROT＝４よりも約０．３ｄＢだけ良く、１％のＰＥＲにおいてＮROT＝２よりも約０．１ｄＢだけ良い性能の改善を与え得る。
【００８３】
図１２は、ＮCOL＝８の場合に１６ＱＡＭ  １／２変調方式を使用する４×４ＭＩＭＯ構成の場合の異なるＮROT値についての例示的な性能結果を示すプロット図である。図１２に示すように、ＮROT＝２は、ＮROTについての他の値と比較して性能の改善を与え、１％のＰＥＲにおいてＮROT＝４よりも約０．２ｄＢだけ良い性能の改善を与え得る。
【００８４】
図１３は、ＢＰＳＫ  １／２変調方式を使用する１×１ＭＩＭＯ構成の場合の異なるＮCOL値についての例示的な性能結果を示すプロット図である。図１３に示すように、場合によっては、ＮCOL＝６は、ＮCOLについての他の値と比較して性能の改善を与え得る。
【００８５】
図１４は、ＱＰＳＫ  １／２変調方式を使用する１×１ＭＩＭＯ構成の場合の異なるＮCOL値についての例示的な性能結果を示すプロット図である。図１４に示すように、場合によっては、ＮCOL＝６は１％のＰＥＲの場合に性能の改善を与え得、ＮCOL＝４は１０％のＰＥＲにおいて性能の改善を与え得る。
【００８６】
図１５は、１６ＱＡＭ  １／２変調方式を使用する１×１ＭＩＭＯ構成の場合の異なるＮCOL値についての例示的な性能結果を示すプロット図である。図１５に示すように、場合によっては、ＮCOL＝６は、ＮCOLについての他の値と比較して性能の改善を与え得る。
【００８７】
図１６は、６４ＱＡＭ  ２／３変調方式を使用する１×１ＭＩＭＯ構成の場合の異なるＮCOL値についての例示的な性能結果を示すプロット図である。図１６に示すように、場合によっては、ＮCOL＝６およびＮCOL＝１２は、１％のＰＥＲにおいてＮCOLについての他の値と比較して性能の改善を与え得る。
【００８８】
図１７は、２５６ＱＡＭ  ３／４変調方式を使用する１×１ＭＩＭＯ構成の場合の異なるＮCOL値についての例示的な性能結果を示すプロット図である。図１７に示すように、場合によっては、ＮCOL＝６およびＮCOL＝４は、ＮCOLについての他の値と比較して性能の改善を与え得る。したがって、ＮCOL＝６は、場合によっては性能の改善を与え得る。
【００８９】
図１８は、ＢＰＳＫ  １／２変調方式を使用する２×２  ２ｓｓ  ＭＩＭＯ構成の場合の異なるＮROT値についての例示的な性能結果を示すプロット図である。図１８に示すように、場合によっては、ＮROT＝８およびＮROT＝９は、ＮROTについての他の値と比較して性能の改善を与え得る。
【００９０】
図１９は、ＱＰＳＫ  １／２変調方式を使用する２×２  ２ｓｓ  ＭＩＭＯ構成の場合の異なるＮROT値についての例示的な性能結果を示すプロット図である。図１９に示すように、場合によっては、ＮROT＝８は、ＮROTについての他の値と比較して性能の改善を与え得る。
【００９１】
図２０は、１６ＱＡＭ  １／２変調方式を使用する２×２  ２ｓｓ  ＭＩＭＯ構成の場合の異なるＮROT値についての例示的な性能結果を示すプロット図である。図２０に示すように、場合によっては、ＮROT＝７は、ＮROTについての他の値と比較して性能の改善を与え得る。
【００９２】
図２１は、６４ＱＡＭ  ２／３変調方式を使用する２×２  ２ｓｓ  ＭＩＭＯ構成の場合の異なるＮROT値についての例示的な性能結果を示すプロット図である。図２１に示すように、場合によっては、ＮROT＝７は、１％のＰＥＲにおいてＮROTについての他の値と比較して性能の改善を与え得る。
【００９３】
図２２は、ＢＰＳＫ  １／２変調方式を使用する４×４  ４ｓｓ  ＭＩＭＯ構成の場合の異なるＮROT値についての例示的な性能結果を示すプロット図である。図２２に示すように、場合によっては、ＮROT＝７は、ＮROTについての他の値と比較して性能の改善を与え得る。
【００９４】
図２３は、ＱＰＳＫ  １／２変調方式を使用する４×４  ４ｓｓ  ＭＩＭＯ構成の場合の異なるＮROT値についての例示的な性能結果を示すプロット図である。図２３に示すように、場合によっては、ＮROT＝７は、ＮROTについての他の値と比較して性能の改善を与え得る。
【００９５】
図２４は、１６ＱＡＭ  １／２変調方式を使用する４×４  ４ｓｓ  ＭＩＭＯ構成の場合の異なるＮROT値についての例示的な性能結果を示すプロット図である。図２４に示すように、場合によっては、ＮROT＝９は、ＮROTについての他の値と比較して性能の改善を与え得る。ＮROT＝７とＮROT＝９との間の差は０．３ｄＢ以下であり得る。したがって、ＮROT＝７は、場合によっては性能の改善を与え得る。
【００９６】
図６〜図２４によって示すように、ＮROT２は、ＮCOLが８であり、空間ストリームの数が１よりも大きいいくつかの場合には、全体的な性能の改善を与え得る。いくつかの実施形態では、ＮROT＝７は、ＮCOLが６として選定されたいくつかの場合には性能の改善を与え得る。
【００９７】
図５を参照すると、各送信ストリームは、次いで、変調器５０２ａ、５０２ｂ、または５０２ｃによって変調され、送信回路５１０ａ、５１０ｂ、または５１０ｃに受け渡され得、送信回路５１０ａ、５１０ｂ、または５１０ｃは、アンテナ５１２ａ、５１２ｂ、または５１２ｃを使用して変調された送信ストリームを、１ＭＨｚ、および８０２．１１送信のために使用される他のものなどの周波数帯域を使用してワイヤレス無線空間中に送信する。ビットは、ＱＰＳＫ（４位相シフトキーイング）変調、ＢＰＳＫ（一度に１ビットをマッピングする）、１６ＱＡＭなどを使用して変調され得る。
【００９８】
いくつかの実施形態では、アンテナ５１２ａ、５１２ｂ、および５１２ｃは、別個であり、空間的に分離したアンテナである。他の実施形態では、別個の信号が合成されて、Ｍ個よりも少数のアンテナからの異なる偏波になり得る。このことの一例は、空間回転または空間拡散が行われ、複数の空間ストリームが単一のアンテナ上にマッピングされる場合である。いずれの場合も、別個の空間ストリームが異なる方法で編成され得ることを理解されたい。たとえば、ある送信アンテナが、２つ以上の空間ストリームからのデータを搬送し得、またはいくつかの送信アンテナが、ある空間ストリームからのデータを搬送し得る。たとえば、４つの送信アンテナと２つの空間ストリームとを用いた送信機の事例について考える。各空間ストリームは、その場合、２つの送信アンテナ上にマッピングされ得、したがって２つのアンテナが、ただ１つの空間ストリームからのデータを搬送している。
【００９９】
受信機２０２ｂは、Ｎ個の受信回路５１６ａ、５１６ｂ、および５１６ｃに結合された（適宜に、別個の偏波を計数する）Ｎ個のアンテナ５１４ａ、５１４ｂ、および５１４ｃにおいて（１つまたは複数の）チャネルから信号を受信する。受信回路５１６ａ、５１６ｂ、および５１６ｃの出力はＭＩＭＯ検出器５１８に与えられ、ＭＩＭＯ検出器５１８はそれの出力をデコーダ５２０に与え、デコーダ５２０は、次に、復元できない誤りなしに、エンコーダ５０４に入力される送信されたビットと同じ受信されたビットを出力する。ＭＩＭＯ検出器１３４は、適切なデインターリーバ（図示せず）をおそらく有し得る。デインターリーバ（図示せず）は、上記で説明したように逆方向演算を実行するための演算を使用し得る。たとえば、デインターリーバは１つまたは複数のストリームデインターリーバを含み得る。
【０１００】
図２５に、図５のインターリーバ５０８の例示的な実施形態の機能ブロック図を示す。複数のストリームインターリーバ５０８ａ、５０８ｂ、および５０８ｃは、組み合わせられた構造に組み合わせられ得ることを諒解されたい。図示のように、入力ビットが受信され得、ストレージロジック２５０２はビットをビットバッファ２５０８中に配置し得る。ビットが配置されるビットバッファ２５０８のロケーションは、カウンタ２５０４によって規定され得、一般に、ビットがビットバッファ２５０８中で連続的に記憶されるようなロケーションであり得る。出力ロジック２５０６は、ビットバッファ２５０８からビットを読み出し、送信のためにビットを出力し得る。ビットが読み出される順序は、上記で説明したように、インターリーバ５０８の実装形態によって決定される。上記に示した式は各ビットにおいて計算され得るが、いくつかの実装形態では、インデックスは一度にすべて計算され、入力インデックスを出力インデックスにマッピングする行列などのデータ構造に記憶され得る。そのようなデータは、出力ロジック２５０６が使用する結果をインターリーバ行列２５１２に記憶する行列計算器２５１０を使用して生成され得る。
【０１０１】
図２６は、１ＭＨｚ  ＭＩＭＯ−ＯＦＤＭを使用して送信のためのビットストリームをインターリーブする例示的な方法のフローチャートを示し、全体で２６００と示される。ブロック２６０２において、本方法は、符号化データをインターリーブし、１つまたは複数の空間ストリーム中で送信されるべき一連のインターリーブされたビットを出力することを含む。インターリーブすることは、ブロックサイズ２４と、インターリーバ深度８と、最高４つの空間ストリームに対応するインターリーブされたローテーションインデックス０、２、１、３と、ベースサブキャリアローテション２とを使用し得る。ブロック２６０４において、本方法は、１つまたは複数の空間ストリーム中に含まれるインターリーブされたビットを送信することをさらに含む。
【０１０２】
図２７に、データユニットを受信し、デインターリーブする例示的な方法のフローチャートを示し、全体として２７００と示される。ブロック２７０２において、本方法は、１つまたは複数の空間ストリームを介してデータを受信することを含む。ブロック２７０４において、本方法は、受信されたデータをデインターリーブし、１つまたは複数の空間ストリームに対応する一連のデインターリーブされたビットを出力することを含む。デインターリーブすることは、ブロックサイズ２４と、インターリーバ深度８と、最高４つの空間ストリームに対応するインターリーブされたローテーションインデックス０、２、１、３と、ベースサブキャリアローテション２とを使用し得る。
【０１０３】
図２８は、ワイヤレス通信システム１００内で採用され得る別の例示的なワイヤレスデバイス２８００の機能ブロック図である。ワイヤレス通信デバイスが、図２８に示すワイヤレス通信デバイスよりも多くの構成要素を有し得ることを、当業者ならば諒解されよう。図示するワイヤレス通信デバイス２８００は、いくつかの実装形態のいくつかの顕著な特徴について説明するために有用なそれらの構成要素のみを含む。デバイス２８００は、ワイヤレス送信のためにデータを符号化するためのエンコーダ２８０２を含む。いくつかの場合には、符号化するための手段はエンコーダ２８０２を含み得る。デバイス２８００は、送信のためにエンコーダ２８０２から符号化データをインターリーブするためのインターリーバ２８０４をさらに含む。インターリーバ２８０４は、図２６に示したブロック２６０２に関して上記で説明した機能のうちの１つまたは複数を実行するように構成され得る。いくつかの場合には、インターリーブするための手段はインターリーバ２８０４を含み得る。インターリーブのための手段（たとえば、インターリーバ２８０４）は、１つまたは複数の空間ストリームに対応する１つまたは複数のストリームインターリーブ手段（たとえば、図５のストリームインターリーバ５０８ａ、５０８ｂ、および５０８ｃ）を含み得る。デバイス２８００は、インターリーバからの出力をワイヤレス送信するための送信モジュール２８０６をさらに含む。送信モジュール２８０６は、図２６に示したブロック２６０４に関して上記で説明した１つまたは複数の機能を実行するように構成され得る。送信モジュール２８０４は送信機２１０に対応し得る。いくつかの場合には、送信するための手段は送信モジュール２８０６を含み得る。送信モジュールは、限定はしないが、コンスタレーションマッパー、変調器、ＩＤＦＴ（図３に関して上記で説明した逆離散時間フーリエ変換モジュールまたはＩＦＦＴ３０４）、デジタルアナログ変換器、増幅器、アンテナおよび他の構成要素を含む、様々な構成要素を含み得る。
【０１０４】
図２９は、ワイヤレス通信システム１００内で採用され得るまた別の例示的なワイヤレスデバイス２９００の機能ブロック図である。デバイス２９００は、データをワイヤレス受信するための受信モジュール２９０２を含む。受信モジュール２９０２は、図２７に示したブロック２７０２に関して上記で説明した１つまたは複数の機能を実行するように構成され得る。受信モジュール２９０２は、受信機２１２に対応し得、増幅器４０１を含み得る。いくつかの場合には、受信するための手段は受信モジュール２９０２を含み得る。デバイス２９００は、受信されたデータをデインターリーブするデインターリーバ２９０４をさらに含む。デインターリーバ２９０４は、図２７に示したブロック２７０４に関して上記で説明した機能のうちの１つまたは複数を実行するように構成され得る。いくつかの場合には、デインターリーブするための手段はデインターリーバ２９０４を含み得る。デインターリーブするための手段（たとえば、デインターリーバ２９０４）は、１つまたは複数の空間ストリームに対応する１つまたは複数のストリームデインターリーブ手段を含み得る。デバイス２９００は、受信され、デインターリーブされたデータを復号するための復号モジュール２９０６をさらに含む。いくつかの場合には、復号するための手段は復号モジュール２９０６を含み得る。
【０１０５】
開示する実施形態のうちの１つまたは複数は、通信デバイス、固定ロケーションデータユニット、モバイルロケーションデータユニット、モバイル電話、セルラー電話、コンピュータ、タブレット、ポータブルコンピュータ、またはデスクトップコンピュータを含み得るシステムまたは装置において実装され得る。さらに、本システムまたは本装置は、セットトップボックス、エンターテインメントユニット、ナビゲーションデバイス、携帯情報端末（ＰＤＡ）、モニタ、コンピュータモニタ、テレビジョン、チューナ、無線、衛星無線、音楽プレーヤ、デジタル音楽プレーヤ、ポータブル音楽プレーヤ、ビデオプレーヤ、デジタルビデオプレーヤ、デジタルビデオディスク（ＤＶＤ）プレーヤ、ポータブルデジタルビデオプレーヤ、データまたはコンピュータ命令を記憶するか、または取り出す任意の他のデバイス、あるいはそれらの組合せを含み得る。別の例示的な、非限定的な例として、本システムまたは本装置は、モバイル電話、ハンドヘルドパーソナル通信システム（ＰＣＳ）ユニット、個人情報端末などのポータブルデータユニット、全地球測位システム（ＧＰＳ）対応デバイス、ナビゲーションデバイス、メーター読取り機器などの固定ロケーションデータユニット、あるいはデータまたはコンピュータ命令を記憶するかまたは取り出す任意の他のデバイスなど、リモートユニット、あるいはそれらの任意の組合せを含み得る。図１〜図２９のうちの１つまたは複数は、本開示の教示によるシステム、装置、および／または方法を示し得るが、本開示は、これらの示されたシステム、装置、および／または方法に限定されない。本開示の実施形態は、メモリと、プロセッサと、オンチップ回路とを含む集積回路を含む任意のデバイスにおいて適切に採用され得る。
【０１０６】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、２つの要素のみが採用され得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１０７】
本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。さらに、本明細書で使用する「チャネル幅」は、いくつかの態様では帯域幅を包含することがあるか、または帯域幅と呼ばれることもある。
【０１０８】
本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１０９】
様々な例示的な構成要素、ブロック、構成、モジュール、回路、およびステップについて、上記では概して、それらの機能に関して説明した。そのような機能をハードウェアとして実装するか、プロセッサ実行可能命令として実装するかは、特定の適用例および全体的なシステムに課される設計制約に依存する。さらに、上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図１〜図２９に示すどの動作も、その動作を実行することが可能な対応する機能的手段によって実行され得る。当業者は、説明した機能を特定の適用例ごとに様々な方法で実装し得るが、そのような実装の決定は、本開示の範囲からの逸脱を生じるものと解釈すべきではない。
【０１１０】
本開示に関連して説明した様々な例示的な論理ブロック、構成、モジュール、回路、およびアルゴリズムステップは、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素（たとえば、電子ハードウェア）、プロセッサによって実行されるコンピュータソフトウェア、あるいは本明細書で説明した機能を実行するように設計されたそれらの任意の組合せを用いて実装または実行され得ることを当業者は諒解されよう。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１１】
１つまたは複数の態様では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶され得る。コンピュータ可読媒体は、ある場所から別の場所へのコンピュータプログラムの転送を可能にする任意の媒体を含む、コンピュータ記憶媒体とコンピュータ通信媒体とを含む。記憶媒体は、コンピュータによってアクセスされ得る任意の利用可能な媒体であり得る。限定ではなく例として、そのようなコンピュータ可読記憶媒体は、ランダムアクセスメモリ（ＲＡＭ）、読取り専用メモリ（ＲＯＭ）、プログラマブル読取り専用メモリ（ＰＲＯＭ）、消去可能ＰＲＯＭ（ＥＰＲＯＭ）、電気的消去可能ＰＲＯＭ（ＥＥＰＲＯＭ（登録商標））、（１つまたは複数の）レジスタ、ハードディスク、リムーバブルディスク、コンパクトディスク読取り専用メモリ（ＣＤ−ＲＯＭ）、他の光ディスクストレージ、磁気ディスクストレージ、磁気ストレージデバイス、あるいは命令またはデータ構造の形態の所望のプログラムコードを記憶するために使用され得、コンピュータによってアクセスされ得る、任意の他の媒体を含むことができる。代替として、コンピュータ可読媒体（たとえば、記憶媒体）はプロセッサに一体化され得る。プロセッサおよび記憶媒体は特定用途向け集積回路（ＡＳＩＣ）中に常駐し得る。ＡＳＩＣは、コンピューティングデバイスまたはユーザ端末中に常駐し得る。代替として、プロセッサおよび記憶媒体は、コンピューティングデバイスまたはユーザ端末中に個別構成要素として常駐し得る。
【０１１２】
また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は非一時的コンピュータ可読媒体（たとえば、有形媒体）を含み得る。さらに、いくつかの態様では、コンピュータ可読媒体は一時的コンピュータ可読媒体（たとえば、信号）を含み得る。上記の組合せもコンピュータ可読媒体の範囲内に含めるべきである。
【０１１３】
本明細書で開示する方法は、説明した方法を達成するための１つまたは複数のステップまたはアクションを含む。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１１４】
したがって、いくつかの態様は、本明細書で提示する動作を実行するためのコンピュータプログラム製品を含み得る。たとえば、そのようなコンピュータプログラム製品は、本明細書で説明した動作を実行するために１つまたは複数のプロセッサによって実行可能である命令をその上に記憶した（および／または符号化した）コンピュータ可読記憶媒体を含み得る。いくつかの態様では、コンピュータプログラム製品はパッケージング材料を含み得る。
【０１１５】
ソフトウェアまたは命令はまた、伝送媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【０１１６】
さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。代替的に、本明細書で説明した様々な方法は、記憶手段（たとえば、ＲＡＭ、ＲＯＭ、コンパクトディスク（ＣＤ）またはフロッピーディスクなどの物理記憶媒体など）を介して与えられ得る。さらに、本明細書で説明した方法および技法をデバイスに与えるための任意の他の好適な技法が利用され得る。
【０１１７】
特許請求の範囲は、上記に示した厳密な構成および構成要素に限定されないことを理解されたい。
【０１１８】
開示した実施形態の上記の説明は、開示した実施形態を当業者が作成または使用することができるように行ったものである。上記は本開示の態様を対象とするが、本開示の他の態様およびさらなる態様は、それの基本的範囲から逸脱することなく考案され得、その範囲は以下の特許請求の範囲によって判断される。本開示または特許請求の範囲から逸脱することなく、本明細書で説明した実施形態の構成、動作および詳細において、様々な改変、変更および変形が行われ得る。したがって、本開示は、本明細書の実施形態に限定されるものではなく、特許請求の範囲によって定義される原理および新規の特徴と一致することが可能な最も広い範囲が与えられるべきものである。
以下に、本願出願の当初の特許請求の範囲に記載された発明を付記する。
［Ｃ１］  符号化データをインターリーブし、一連のインターリーブされたビットを出力するように構成されたインターリーバであって、前記インターリーバが、１つまたは複数の空間ストリームに対応する１つまたは複数のストリームインターリーバを備え、前記１つまたは複数のストリームインターリーバが、
ブロックサイズ２４と、
インターリーバ深度８と、
最高４つの空間ストリームに対応するインターリーブされたローテーションインデックス０、２、１、３と、
ベースサブキャリアローテション９以下と
に基づいてインターリーブを実行するように構成された、インターリーバと、
前記１つまたは複数の空間ストリーム中に含まれる前記インターリーブされたビットを送信するように構成された送信モジュールと
を備えるワイヤレス通信装置。
［Ｃ２］  前記ベースサブキャリアローテションが２に等しい、Ｃ１に記載のワイヤレス通信装置。
［Ｃ３］  前記１つまたは複数の空間ストリームを送信するように構成された１つまたは複数のアンテナをさらに備える、Ｃ１に記載のワイヤレス通信装置。
［Ｃ４］  前記インターリーバが、前記符号化データを前記１つまたは複数のストリームインターリーバの各々にパースするように構成されたストリームパーサを備える、Ｃ１に記載のワイヤレス通信装置。
［Ｃ５］  前記送信モジュールが、１ＭＨｚ多入力多出力直交周波数分割多重（ＭＩＭＯ−ＯＦＤＭ）送信を使用して送信するように構成された、Ｃ１に記載のワイヤレス通信装置。
［Ｃ６］  前記送信モジュールが、２４個のデータトーンを備える直交周波数分割多重（ＯＦＤＭ）シンボルを送信するように構成された、Ｃ１に記載のワイヤレス通信装置。
［Ｃ７］  前記ローテーションインデックス０、２、１、および３が、それぞれ第１の空間ストリーム、第２の空間ストリーム、第３の空間ストリーム、および第４の空間ストリームに対応する、Ｃ１に記載のワイヤレス通信装置。
［Ｃ８］  特定のストリームインターリーバのサブキャリア回転が、前記ベースサブキャリアローテションを乗算された、対応する空間ストリームインデックスの前記インターリーブされたローテーションインデックスの関数である、Ｃ１に記載のワイヤレス通信装置。
［Ｃ９］  前記符号化データを前記インターリーバに与えるように構成されたエンコーダをさらに備える、Ｃ１に記載のワイヤレス通信装置。
［Ｃ１０］  前記送信モジュールが、前記インターリーブされたビットを変調するように構成された変調器を備える、Ｃ１に記載のワイヤレス通信装置。
［Ｃ１１］  データをインターリーブする方法であって、前記方法は、
符号化データをインターリーブし、１つまたは複数の空間ストリーム中で送信される一連のインターリーブされたビットを出力することであって、前記インターリーブすることが、
ブロックサイズ２４を使用することと、
インターリーバ深度８を使用することと、
最高４つの空間ストリームに対応するインターリーブされたローテーションインデックス０、２、１、３を使用することと、
ベースサブキャリアローテション９以下を使用することと
を備える、インターリーブし、出力することと、
前記１つまたは複数の空間ストリーム中に含まれる前記インターリーブされたビットを送信することと
を備える方法。
［Ｃ１２］  前記ベースサブキャリアローテションが２に等しい、Ｃ１１に記載の方法。
［Ｃ１３］  前記送信することが、１つまたは複数のアンテナを使用して前記インターリーブされたビットを送信することを備える、Ｃ１１に記載の方法。
［Ｃ１４］  前記１つまたは複数の空間ストリームの各々に対応する前記符号化データをパースすることをさらに備える、Ｃ１１に記載の方法。
［Ｃ１５］  前記送信することが、１ＭＨｚ多入力多出力直交周波数分割多重（ＭＩＭＯ−ＯＦＤＭ）送信を使用して送信することを備える、Ｃ１１に記載の方法。
［Ｃ１６］  前記送信することが、２４個のデータトーンを備える直交周波数分割多重（ＯＦＤＭ）シンボルを送信することを備える、Ｃ１１に記載の方法。
［Ｃ１７］  前記ローテーションインデックス０、２、１、および３が、それぞれ第１の空間ストリーム、第２の空間ストリーム、第３の空間ストリーム、および第４の空間ストリームに対応する、Ｃ１１に記載の方法。
［Ｃ１８］  前記インターリーブすることに関連するサブキャリア回転が、前記ベースサブキャリアローテションを乗算された、対応する空間ストリームインデックスの前記インターリーブされたローテーションインデックスの関数である、Ｃ１１に記載の方法。
［Ｃ１９］  前記符号化データを生成するために入力データを符号化することをさらに備える、Ｃ１１に記載の方法。
［Ｃ２０］  前記インターリーブされたビットを変調することをさらに備える、Ｃ１１に記載の方法。
［Ｃ２１］  一連のインターリーブされたビットを出力するために符号化データをインターリーブするための手段であって、インターリーブするための前記手段が、１つまたは複数の空間ストリームに対応する１つまたは複数のストリームインターリーブ手段を備え、前記１つまたは複数のストリームインターリーブ手段が、
ブロックサイズ２４と、
インターリーバ深度８と、
最高４つの空間ストリームに対応するインターリーブされたローテーションインデックス０、２、１、３と、
ベースサブキャリアローテション９以下と
に基づいてインターリーブを実行するためのものである、インターリーブするための手段と、
前記１つまたは複数の空間ストリーム中に含まれる前記インターリーブされたビットを送信するための手段と
を備えるワイヤレス通信装置。
［Ｃ２２］  コンピュータによって実行されたとき、前記コンピュータに、
符号化データをインターリーブし、１つまたは複数の空間ストリームを介して送信されるべき一連のインターリーブされたビットを出力する、ここにおいて、前記符号化データをインターリーブすることが、
ブロックサイズ２４を使用することと、
インターリーバ深度８を使用することと、
最高４つの空間ストリームに対応するインターリーブされたローテーションインデックス０、２、１、３を使用することと、
ベースサブキャリアローテション９以下を使用することと
を備える、ことと、
前記１つまたは複数の空間ストリーム中に含まれる前記インターリーブされたビットを送信することと
を行わせる命令を備える非一時的コンピュータ可読媒体。
［Ｃ２３］  １つまたは複数の空間ストリーム中に含まれるデータを受信するように構成された受信モジュールと、
前記受信されたデータをデインターリーブするように構成されたデインターリーバと
を備えるワイヤレス通信装置であって、前記デインターリーバが、前記１つまたは複数の空間ストリームに対応する１つまたは複数のストリームデインターリーバを備え、前記１つまたは複数のストリームデインターリーバが、
ブロックサイズ２４と、
インターリーバ深度８と、
最高４つの空間ストリームに対応するインターリーブされたローテーションインデックス０、２、１、３と、
ベースサブキャリアローテション９以下と
に基づいてデインターリーブを実行するように構成された、ワイヤレス通信装置。
［Ｃ２４］  前記ベースサブキャリアローテションが２に等しい、Ｃ２３に記載のワイヤレス通信装置。
［Ｃ２５］  前記受信モジュールが、１ＭＨｚ多入力多出力直交周波数分割多重（ＭＩＭＯ−ＯＦＤＭ）送信を介して前記データを受信するように構成された、Ｃ２３に記載のワイヤレス通信装置。
［Ｃ２６］  前記受信モジュールが、２４個のデータトーンを備える直交周波数分割多重（ＯＦＤＭ）シンボルを受信するように構成された、Ｃ２３に記載のワイヤレス通信装置。
［Ｃ２７］  前記ローテーションインデックス０、２、１、および３が、それぞれ第１の空間ストリーム、第２の空間ストリーム、第３の空間ストリーム、および第４の空間ストリームに対応する、Ｃ２３に記載のワイヤレス通信装置。
［Ｃ２８］  特定のストリームデインターリーバのサブキャリア回転が、前記ベースサブキャリアローテションを乗算された、前記対応する空間ストリームインデックスの前記インターリーブされたローテーションインデックスの関数である、Ｃ２３に記載のワイヤレス通信装置。
［Ｃ２９］  前記デインターリーバの出力データを復号するように構成されたデコーダをさらに備える、Ｃ２３に記載のワイヤレス通信装置。
［Ｃ３０］  前記受信モジュールが、受信されたデータを復調するように構成された復調器を備える、Ｃ２３に記載のワイヤレス通信装置。
［Ｃ３１］  データをデインターリーブする方法であって、前記方法は以下を備える、
１つまたは複数の空間ストリームを介してデータを受信することと、
前記受信されたデータをデインターリーブし、前記１つまたは複数の空間ストリームに対応する一連のデインターリーブされたビットを出力すること、ここにおいて、前記デインターリーブすることが、
ブロックサイズ２４を使用することと、
インターリーバ深度８を使用することと、
最高４つの空間ストリームに対応するインターリーブされたローテーションインデックス０、２、１、３を使用することと、
ベースサブキャリアローテション９以下を使用することと、を備える。
［Ｃ３２］  前記ベースサブキャリアローテションが２に等しい、Ｃ３１に記載の方法。
［Ｃ３３］  前記受信することが、１つまたは複数のアンテナを介して前記１つまたは複数の空間ストリームを受信することを備える、Ｃ３１に記載の方法。
［Ｃ３４］  前記受信することが、１ＭＨｚ多入力多出力直交周波数分割多重（ＭＩＭＯ−ＯＦＤＭ）送信を受信することを備える、Ｃ３１に記載の方法。
［Ｃ３５］  前記受信することが、２４個のデータトーンを備える直交周波数分割多重（ＯＦＤＭ）シンボルを受信することを備える、Ｃ３１に記載の方法。
［Ｃ３６］  前記ローテーションインデックス０、２、１、および３が、それぞれ第１の空間ストリーム、第２の空間ストリーム、第３の空間ストリーム、および第４の空間ストリームに対応する、Ｃ３１に記載の方法。
［Ｃ３７］  前記デインターリーブすることに関連するサブキャリア回転が、前記ベースサブキャリアローテションを乗算された、対応する空間ストリームインデックスの前記インターリーブされたローテーションインデックスの関数である、Ｃ３１に記載の方法。
［Ｃ３８］  前記インターリーブされたデータを復号することをさらに備える、Ｃ３１に記載の方法。
［Ｃ３９］  前記受信されたデータを復調することをさらに備える、Ｃ３１に記載の方法。
［Ｃ４０］  １つまたは複数の空間ストリームを介してデータを受信するための手段と、
前記受信されたデータをデインターリーブするための手段と
を備えるワイヤレス通信装置であって、デインターリーブするための前記手段が、前記１つまたは複数の空間ストリームに対応する１つまたは複数のストリームデインターリーブ手段を備え、前記１つまたは複数のストリームデインターリーブ手段が、
ブロックサイズ２４と、
インターリーバ深度８と、
最高４つの空間ストリームに対応するインターリーブされたローテーションインデックス０、２、１、３と、
ベースサブキャリアローテション９以下と
に基づいてデインターリーブを実行するためのものである、ワイヤレス通信装置。
［Ｃ４１］  コンピュータによって実行されたとき、前記コンピュータに、
１つまたは複数の空間ストリームを介してデータを受信することと、
前記受信されたデータをデインターリーブし、前記１つまたは複数の空間ストリームに対応する一連のデインターリーブされたビットを出力する、ここにおいて、１つまたは複数の空間ストリームをデインターリーブすることが、
ブロックサイズ２４を使用することと、
インターリーバ深度８を使用することと、
最高４つの空間ストリームに対応するインターリーブされたローテーションインデックス０、２、１、３を使用することと、
ベースサブキャリアローテション９以下を使用することと
を備える、ことと
を行わせる命令を備える非一時的コンピュータ可読媒体。
［Ｃ４２］  符号化データをインターリーブし、１ＭＨｚ直交周波数分割多重（ＯＦＤＭ）送信を介して送信されるべき一連のインターリーブされたビットを出力するように構成されたインターリーバと、
前記インターリーブされたビットを変調するように構成された変調器と、
前記変調されたビットを変換するように構成された変換モジュールと、
前記１ＯＦＤＭ送信の１つまたは複数の空間ストリーム中で前記変換されたビットに対応する信号を送信するように構成された送信モジュールと
を備える装置。
［Ｃ４３］  前記１ＭＨｚ  ＯＦＤＭ送信が２４個のデータトーンを含む、Ｃ４２に記載の装置。
［Ｃ４４］  前記変換モジュールが３２点サイズ変換を実行するように構成された、Ｃ４２に記載の装置。
［Ｃ４５］  １ＭＨｚ直交周波数分割多重（ＯＦＤＭ）送信の１つまたは複数の空間ストリーム中に含まれるビットを受信するように構成された受信モジュールと、
前記受信されたビットを変換するように構成された変換モジュールと、
前記変換されたビットを復調するように構成された復調器と、
前記復調されたビットをデインターリーブし、前記１つまたは複数の空間ストリームに対応するデータを出力するように構成されたデインターリーバと
を備える装置。
【図１】
0005989831.tif 000006
【図２】
0005989831.tif 000007
【図３】
0005989831.tif 000008
【図４】
0005989831.tif 000009
【図５】
0005989831.tif 000010
【図６】
0005989831.tif 000011
【図７】
0005989831.tif 000012
【図８】
0005989831.tif 000013
【図９】
0005989831.tif 000014
【図１０】
0005989831.tif 000015
【図１１】
0005989831.tif 000016
【図１２】
0005989831.tif 000017
【図１３】
0005989831.tif 000018
【図１４】
0005989831.tif 000019
【図１５】
0005989831.tif 000020
【図１６】
0005989831.tif 000021
【図１７】
0005989831.tif 000022
【図１８】
0005989831.tif 000023
【図１９】
0005989831.tif 000024
【図２０】
0005989831.tif 000025
【図２１】
0005989831.tif 000026
【図２２】
0005989831.tif 000027
【図２３】
0005989831.tif 000028
【図２４】
0005989831.tif 000029
【図２５】
0005989831.tif 000030
【図２６】
0005989831.tif 000031
【図２７】
0005989831.tif 000032
【図２８】
0005989831.tif 000033
【図２９】
0005989831.tif 000034